【手続補正書】
【提出日】平成22年4月20日(2010.4.20)
【手続補正１】
【補正対象書類名】特許請求の範囲
【補正対象項目名】全文
【補正方法】変更
【補正の内容】
【特許請求の範囲】
【請求項１】
少なくとも１つの共振回路送信側コイルとコンデンサとを含む電流供給共振回路を有し、前記共振回路送信側コイルは、少なくとも１つの受信側コイル内に相互誘導電圧を誘導できる交番磁界を生成し、前記共振回路の発振状態は、前記交番磁界に出入りする金属リリースによる影響を受けることができ、前記共振回路の前記発振状態の変化から、切り替え信号を取得することができ、少なくとも２つのコイル、すなわち、送信側コイルおよび受信側コイルの間の複素結合の変化は、前記リリースの存在時または不在時に、補助電圧信号を利用して、切り替え信号として評価することができる、誘導型近接スイッチの動作のための回路網であって、
前記補助電圧信号は、事前設定可能な比率で、前記回路網の前記共振回路の前記共振回路電圧から部分電圧として取得され、
２つの複素抵抗の直列接続によって得られる複素分圧器は、前記共振回路と並列に接続され、前記補助電圧信号は、第２の複素抵抗において低下し、
前記補助電圧信号は、前記受信側コイル内に誘導される前記相互誘導電圧と直列に接続され、この接続は、前記受信側コイルの出力において、グラウンドまたはポテンシャルに対して、差動電圧が取得され、取得された差動電圧の大きさが、誘導された前記相互誘導電圧と比べて、前記補助電圧信号の分だけ減少するように行われ、前記切り替え信号は、前記差動電圧から生成されること、を特徴とする回路網。
【請求項２】
請求項１に記載の回路網と、前記共振回路の発振状態の変化から切り替え信号を取得する評価回路とを備える、誘導型近接スイッチ。
【請求項３】
請求項２に記載の誘導型近接スイッチであって、
前記差動電圧が、前記切り替え信号を取得する前記評価回路に供給される、誘導型近接スイッチ。
【請求項４】
請求項２に記載の誘導型近接スイッチであって、
前記差動電圧は、相互コンダクタンス増幅器に供給され、前記相互コンダクタンス増幅器は、前記差動電圧に比例する電流を取得して送り返し、前記発振器の共振回路に提供するものであり、前記共振回路電圧は、前記切り替え信号を取得する前記評価回路に供給されること、を特徴とする誘導型近接スイッチ。
【請求項５】
請求項３または４に記載の誘導型近接スイッチであって、
補助電圧信号と共振回路電圧との前記事前設定可能な比率を利用して、前記差動電圧は、当該差動電圧が、前記共振回路の共振または前記共振回路電圧の共振振幅のいずれかにおいて、それぞれ温度非依存になるか、もしくは、共振勾配上に、前記共振回路の共振周波数と対称に配置される共振回路電圧の振幅に関して温度非依存であるように選択できること、を特徴とする誘導型近接スイッチ。
【請求項６】
請求項４または５に記載の誘導型近接スイッチであって、
前記相互コンダクタンス増幅器は選択可能な勾配を持つこと、を特徴とする誘導型近接スイッチ。
【請求項７】
請求項２から６のいずれか１項に記載の誘導型近接スイッチであって、
分圧器の中心点には、受信側コイルの一方の端部が接続され、前記受信側コイルの他方の端部において、前記差動電圧が得られること、を特徴とする誘導型近接スイッチ。
【請求項８】
請求項７に記載の誘導型近接スイッチであって、
前記分圧器の前記２つの複素抵抗の直列接続は、２つのコンデンサの直列接続であり、前記補助電圧信号は、前記２つのコンデンサの２番目において低下すること、を特徴とする誘導型近接スイッチ。
【請求項９】
請求項８に記載の誘導型近接スイッチであって、
前記共振回路の静電容量は、その全部または一部が、前記コンデンサによって、前記コンデンサの一方によって、または送信側コイルの自己容量によって形成されること、を特徴とする誘導型近接スイッチ。
【請求項１０】
請求項２から９のいずれか１項に記載の誘導型近接スイッチであって、
前記補助電圧信号は、同時に、インピーダンス変換器への２つの信号入力に適用され、前記受信側コイルの一方の端部は、インピーダンス変換器の出力に接続され、更に、グラウンドまたはポテンシャルに対して、差動電圧が、前記受信側コイルの出力において得られること、を特徴とする誘導型近接スイッチ。
【請求項１１】
請求項２から１０のいずれか１項に記載の誘導型近接スイッチであって、
前記複素分圧器の前記２つの複素抵抗のうちの少なくとも１つは、調整可能であり、その結果、前記共振回路の前記共振回路電圧は、調整可能な比率で分割されるため、前記受信側コイルの出力において、調整可能な差動電圧が得られること、を特徴とする誘導型近接スイッチ。
【請求項１２】
請求項２から１１のいずれか１項に記載の誘導型近接スイッチであって、
前記分圧器は、オーミック抵抗を用いて実現されること、を特徴とする誘導型近接スイッチ。
【請求項１３】
請求項２から１２のいずれか１項に記載の誘導型近接スイッチであって、
前記少なくとも１つの送信側コイルと、前記少なくとも１つの受信側コイルとは、平面状のコイルシステムを形成すること、を特徴とする誘導型近接スイッチ。
【請求項１４】
請求項２から１３のいずれか１項に記載の誘導型近接スイッチであって、
前記少なくとも１つの送信側コイルと、前記少なくとも１つの受信側コイルとは、回路基板コイルの形式であること、を特徴とする誘導型近接スイッチ。
【請求項１５】
請求項２から１４のいずれか１項に記載の誘導型近接スイッチであって、
前記共振回路電圧は、整流されて、前記切り替え信号を取得する閾値弁別器に供給されること、を特徴とする誘導型近接スイッチ。
【請求項１６】
請求項２に記載の誘導型近接スイッチであって、
供給電流は、電源を利用して、前記共振回路に与えられ、前記差動電圧は、増幅器に供給され、この増幅器の出力には、乗算器の一方の入力が接続され、その他方の入力には、前記供給電流の位相情報が与えられ、好ましくは、移相器を用いた作用を受け、乗算器の出力は、前記切り替え信号を取得する前記評価回路に供給されること、を特徴とする誘導型近接スイッチ。
【請求項１７】
請求項２から４のいずれか１項に記載の誘導型近接スイッチであって、
前記補助電圧または差動電圧は、それぞれ、対応して配置されたタップによって、前記送信側コイル上のタップポイントから取得され、前記タップポイントは、送信側コイルを部分インダクタンスに分割すること、を特徴とする誘導型近接スイッチ。
【請求項１８】
請求項１７に記載の誘導型近接スイッチであって、
送信側コイルのコイルタップから得られた電圧は、増幅器において増幅され、前記補助電圧または差動電圧は、それぞれ、前記増幅器の下流で利用できること、を特徴とする誘導型近接スイッチ。
【請求項１９】
少なくとも１つの共振回路送信側コイルとコンデンサとを含む共振回路を備え、前記共振回路送信側コイルは、少なくとも１つの受信側コイル内に相互誘導電圧を誘導する交番磁界を生成し、前記共振回路の発振状態は、前記交番磁界に出入りする金属リリースによる影響を受け、更に、前記共振回路の前記発振状態の変化から切り替え信号を取得する評価回路を備え、少なくとも２つのコイル、すなわち、送信側コイルおよび受信側コイルの間の複素結合の変化は、前記リリースの存在時または不在時に、補助電圧信号を利用して、切り替え信号として評価される、誘導型近接スイッチの動作方法であって、
前記補助電圧信号は、前記共振回路の前記共振回路電圧から、事前設定可能な比率で、部分電圧として取得され、
２つの複素抵抗の直列接続によって得られる複素分圧器は、前記共振回路と並列に接続され、前記補助電圧信号は、第２の複素抵抗において低下し、
前記補助電圧信号は、前記受信側コイル内に誘導される前記相互誘導電圧と直列に接続され、この接続は、前記受信側コイルの出力において、差動電圧がグラウンドまたはポテンシャルに対して取得され、取得された差動電圧の大きさが、誘導された前記相互誘導電圧と比べて、前記補助電圧信号の分だけ減少するように行われ、
前記切り替え信号は、前記差動電圧から生成されること、を特徴とする誘導型近接スイッチの動作方法。
【請求項２０】
請求項１９に記載の誘導型近接スイッチの動作方法であって、
前記差動電圧は、前記切り替え信号を取得する前記評価回路に供給されること、を特徴とする誘導型近接スイッチの動作方法。
【請求項２１】
請求項１９に記載の誘導型近接スイッチの動作方法であって、
前記差動電圧は、相互コンダクタンス増幅器に供給され、前記差動電圧に比例する、前記相互コンダクタンス増幅器の電流は、前記発振器の前記共振回路内にフィードバックされ、かつ、前記共振回路電圧は、前記切り替え信号を取得する前記評価回路に供給されること、を特徴とする誘導型近接スイッチの動作方法。
【請求項２２】
請求項１９から２１のいずれか１項に記載の誘導型近接スイッチの動作方法であって、
前記共振回路の前記共振回路電圧は、調整可能な比率で分割され、その結果、前記受信側コイルの出力において、調整可能な差動電圧が取得されること、を特徴とする誘導型近接スイッチの動作方法。
【請求項２３】
請求項１９から２１のいずれか１項に記載の誘導型近接スイッチの動作方法であって、
前記補助電圧信号と前記共振回路電圧との前記事前設定可能な比率を利用して、前記差動電圧は、当該差動電圧が、前記共振回路の共振において、または前記共振回路電圧の共振振幅において、それぞれ温度非依存になるか、もしくは、共振勾配上に、前記共振回路の共振周波数と対称に配置された前記共振回路電圧の振幅に関して温度非依存になるように選択されること、を特徴とする誘導型近接スイッチの動作方法。